(57)【要約】【課題】底部にオイル溜を有する密閉容器内に、電動機およびこの電動機と連結される圧縮機構部を収容し、上記圧縮機構部で圧縮したガスを一旦密閉容器内に吐出して容器内を高圧とする密閉型圧縮機において、運転時にオイルが過剰に上昇し、圧縮機上部にオイル溜となって停滞することがあった。このため、圧縮機構部に必要なオイル油面の確保ができなくなり、摺動部の異常磨耗や焼き付などの信頼性に関わる問題が発生していた。【解決手段】本発明は上記事情に基づきなされたものであり、圧縮機上部に溜まったオイルを圧縮機下部のオイル溜に効率よく戻すために、密閉容器内側の上部と下部を結ぶようなオイルの通り溝を設けた。【選択図】図１
2009228621.tif 000002
【特許請求の範囲】
【請求項１】
底部にオイル溜を有する密閉容器内に電動機と圧縮機構部を備え、さらに電動機による回転力を圧縮機構部に伝える回転軸とが収納された密閉型圧縮機において、圧縮機上部に停滞したオイルを、底部オイル溜に戻す機能を設けたことを特徴とする密閉型圧縮機。
【請求項２】
塩素を含まないＨＣＦＣやＨＦＣ等を冷媒とした請求項１記載の密閉型圧縮機。
【請求項３】
二酸化炭素やアンモニア、ヘリウム等の自然冷媒を冷媒とした請求項１記載の密閉型圧縮機。
【請求項４】
ナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルを使用した請求項１記載の密閉型圧縮機。
【請求項５】
オイルに、ベンゾトリアゾールなどの銅不活性化剤、硫黄系極圧添加剤、ハロゲン系極圧添加剤、りん系極圧添加剤、有機金属化合物系極圧添加剤、およびこれらの組み合わせからなる極圧添加剤などの添加剤を有効量配合した請求項１記載の密閉型圧縮機。
【発明の詳細な説明】
【技術分野】
【０００１】
本発明は、底部にオイル溜を有する密閉容器内に電動機と圧縮機構部を備え、さらに電動機による回転力を圧縮機構部に伝える回転軸とが収納された密閉型圧縮機において、圧縮機上部に溜まったオイルを、密閉容器内側に設けた溝を伝い底部オイル溜に戻す機能を設けたことを特徴とする密閉型圧縮機の構造に関するものである。
【背景技術】
【０００２】
従来の密閉型圧縮機は、回転軸の回転により生じる遠心力を利用して底部のオイル溜から各摺動部にオイルを供給している（例えば、特許文献１参照）。
【０００３】
ところが稀に運転時にオイルが過剰に上昇し、圧縮機上部にオイル溜となって停滞することがあった。このため、圧縮機構部に必要なオイル油面の確保ができなくなり、摺動部の異常磨耗や焼き付などの信頼性に関わる問題が発生していた。
【特許文献１】実公平１−３０６３１号公報
【発明の開示】
【発明が解決しようとする課題】
【０００４】
底部にオイル溜を有する密閉容器内に、電動機およびこの電動機と連結される圧縮機構部を収容し、上記圧縮機構部で圧縮したガスを一旦密閉容器内に吐出して容器内高圧とする密閉型圧縮機において、運転時にオイルが過剰に上昇し、圧縮機上部にオイル溜となって停滞することがあった。このため、圧縮機構部に必要なオイル油面の確保ができなくなり、摺動部の異常磨耗や焼き付などの信頼性に関わる問題が発生していた。
【０００５】
本発明は上記事情に基づきなされたものであり、圧縮機上部に溜まったオイルが圧縮機下部のオイル溜に効率よく戻り、摺動部の異常磨耗や焼き付などの問題が発生しない信頼性の高い密閉型圧縮機を提供しようとするものである。
【課題を解決するための手段】
【０００６】
本発明は上記事情に基づきなされたものであり、圧縮機上部に溜まったオイルを圧縮機下部のオイル溜に効率よく戻すために、密閉容器内側の上部と下部を結ぶようなオイルの通り溝を設けた。
【発明の効果】
【０００７】
本発明によれば、圧縮機上部にオイルが溜まることがなくなり、常に圧縮機構部に必要なオイル油面を確保することが可能となる。これにより、摺動部の異常磨耗や焼き付などの信頼性に関わる問題を回避することが可能となった。
【発明を実施するための最良の形態】
【０００８】
（実施の形態１）
以下、本発明の実施の形態を図１〜図２に基づいて詳細に説明する。図１は、本発明の密閉型圧縮機の一実施形態を説明する説明図である。１は密閉容器で、この容器内には電動機２と、この電動機２の下側に配置される圧縮機構部３と、電動機２の回転力を圧縮機構部３に伝える回転軸４とが収納されている。密閉容器１内には底部にオイル溜５が設けられている。電動機２は内部に巻線６  を備えた固定子７と、この固定子の内側に配置されて中央に回転軸４  を挿着した回転子８とで構成されている。圧縮機構部３はシリンダ９と、このシリンダ内を回転軸４の回転によって回転摺動するピストン１０と、シリンダ９の端面に取付けられた上軸受１１と、下軸受１２とで構成されている。
【０００９】
図２は、本発明の密閉容器の一実施形態を説明する説明図である。密閉容器１の内側には、密閉容器１の上部と下部を結ぶようにオイル通り溝１３が設けられている。
【００１０】
このように構成された密閉型圧縮機の給油装置において、電動機２に通電すると、回転子８および回転軸４が回転し、電動機２の回転力が圧縮機構部３に伝えられる。このとき、オイルは回転軸４の回転により生じる遠心力とオイルの表面張力によって、上軸受１１および圧縮機構部３の各摺動部に供給される。この際、電動機２の上部まで上がったオイルは、一旦オイル溜５１を形成するが、このオイル溜５１は密閉容器１の内側に設けられたオイル通り溝１３を伝い、圧縮機下部のオイル溜５へ戻ることが可能となる。
【００１１】
（実施の形態２）
また、近年オゾン層保護の観点から、塩素を含まないＨＦＣ冷媒を用いた圧縮機が開発されている。当機構を有した圧縮機をこのようなＨＦＣ冷媒に用いることも可能である。
【００１２】
（実施の形態３）
また、近年地球温暖化防止の観点から二酸化炭素、ヘリウム、アンモニア等の自然冷媒を用いた圧縮機が開発されている。そのような自然冷媒を用いた圧縮機に当発明を適用することも可能である。
【００１３】
（実施の形態４）
通常圧縮機には、使用する冷媒や圧縮機構部３に用いられる材質によって様々な種類のオイルが使用されている。当発明は、圧縮機で主に用いられているナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルなどにも適用することが可能である。
【００１４】
（実施の形態５）
また、機械的特性を上げるために、上記オイルに種々の添加剤を加えることがある。当発明は、ベンゾトリアゾールなどの銅不活性化剤、硫黄系極圧添加剤、ハロゲン系極圧添加剤、りん系極圧添加剤、有機金属化合物系極圧添加剤、およびこれらの組み合わせからなる極圧添加剤などを有効量配合した圧縮機にも適用することも可能である。
【産業上の利用可能性】
【００１５】
以上のように本発明にかかる密閉型圧縮機は、圧縮機上部にオイルが溜まることがなくなり、常に圧縮機構部に必要なオイル油面を確保することにより、摺動部の異常磨耗や焼き付などの信頼性に関わる問題を回避することが可能となるので、空気調和機や冷蔵庫のような冷凍機器等の用途に適用できる。
【図面の簡単な説明】
【００１６】
【図１】本発明実施の形態における密閉型圧縮機の縦断面図
【図２】本発明実施の形態における密閉容器の縦断面図
【符号の説明】
【００１７】
１  密閉ケース
２  電動機
３  圧縮機構部
４  回転軸
５  オイル溜
６  巻線
７  固定子
８  回転子
９  シリンダ
１０  ピストン
１１  上軸受
１２  下軸受
１３  オイル通り溝
【図１】
2009228621.tif 000003
【図２】
2009228621.tif 000004